(57)【要約】      （修正有）【課題】球制御の安定性を向上可能なビリヤードキュースティックバット及びビリヤードキュースティックを提供する。【解決手段】球制御の安定性を向上可能なビリヤードキュースティックバット１００及びビリヤードキュースティックにおいて、ビリヤードキュースティックのシャフトに組み合わせられるビリヤードキュースティックバット１００は芯棒１０、カバー体２０を有する。カバー体２０は芯棒１０の外周縁をカバーする。カバー体２０は芯棒１０の軸線を巡って設置される細長い形状の複数の組み合わせ部材２１を有し、これによりビリヤード時の球制御の安定性を高められる。【選択図】図２Ａ
0003216485.tif 000002
【実用新案登録請求の範囲】
【請求項１】
球制御の安定性を向上可能なビリヤードキュースティックバットであって、
ビリヤードキュースティックのシャフトに組み合わせられ、
前記ビリヤードキュースティックバットは、芯棒及び前記芯棒の外周縁をカバーするカバー体を有し、
前記カバー体は、前記芯棒の軸線を巡って設置される細長い形状の複数の組み合わせ部材を有することを特徴とする、
球制御の安定性を向上可能なビリヤードキュースティックバット。
【請求項２】
さらに延伸棒を有し、前記延伸棒は、前記シャフトと前記ビリヤードキュースティックバットの間に連接されることを特徴とする請求項１に記載の球制御の安定性を向上可能なビリヤードキュースティックバット。
【請求項３】
前記芯棒は、単一の実心部材或いは多数の構成部材を組み合わせて形成される実心であることを特徴とする請求項２に記載の球制御の安定性を向上可能なビリヤードキュースティックバット。
【請求項４】
前記芯棒の断面は円形で、前記カバー体の内周縁の形状と前記芯棒の断面とは対応することを特徴とする請求項１又は３に記載の球制御の安定性を向上可能なビリヤードキュースティックバット。
【請求項５】
前記芯棒の断面は非円形で、前記カバー体の内周縁の形状と前記芯棒の断面とは対応することを特徴とする請求項１又は３に記載の球制御の安定性を向上可能なビリヤードキュースティックバット。
【請求項６】
前記芯棒には、中空部材をさらに嵌めて設置し、前記中空部材は、前記芯棒の外周縁をカバーし、前記芯棒と前記カバー体の間に位置することを特徴とする請求項１又は３に記載の球制御の安定性を向上可能なビリヤードキュースティックバット。
【請求項７】
前記中空部材は多層体で、木材、カーボンファイバー或いはベークライトの内の一種或いは任意の二種以上の組合せであることを特徴とする請求項６に記載の球制御の安定性を向上可能なビリヤードキュースティックバット。
【請求項８】
前記芯棒の外周縁と前記中空部材の内周縁の円形或いは非円形は対応し、前記中空部材の外周縁は、円形或いは非円形で、前記カバー体の内周縁の形状と前記中空部材の外周縁とは対応することを特徴とする請求項６に記載の球制御の安定性を向上可能なビリヤードキュースティックバット。
【請求項９】
前記組み合わせ部材の数量は偶数であることを特徴とする請求項１に記載の球制御の安定性を向上可能なビリヤードキュースティックバット。
【請求項１０】
ビリヤードキュースティックであって、
前記ビリヤードキュースティックは、シャフトを有し、
前記シャフトは、請求項１〜９のいずれか一項に記載の球制御の安定性を向上可能なビリヤードキュースティックバットと組み合わせ、
前記シャフトは、第一結合部を有し、
前記ビリヤードキュースティックバットは、第二結合部を有し、
前記第一結合部と前記第二結合部は、凹凸対応連接であることを特徴とする、
ビリヤードキュースティック。
【請求項１１】
前記第一結合部と前記第二結合部は、螺合対応であることを特徴とする請求項１０に記載のビリヤードキュースティック。
【考案の詳細な説明】
【技術分野】
【０００１】
本考案によるビリヤードキュースティックに関し、特に球制御の安定性を向上可能なビリヤードキュースティックバット及びビリヤードキュースティックに関する。
【背景技術】
【０００２】
一般のビリヤードキュースティックは、シャフト（ｓｈａｆｔ）とバット（ｂｕｔｔ）を組み合わせて構成され、携帯の便を図る。
【０００３】
ビリヤードキュースティックはほとんどが木材により製造されるが、木材内の繊維木目は均一でない。
しかも木材には、太陽に対する向きにより、成長方向の特性があり、素材となる木材が異なれば木質も異なる。
そのため、作られるビリヤードキュースティックの球制御も一致させられない。
同時に、木材には明確な木目と毛細孔があるため、気候の影響を受けやすく、ビリヤードキュースティックのバットの品質に変化が生じ、安定性が劣る。
【０００４】
前述の問題を克服するため、市販のビリヤードキュースティックには、カーボンファイバー複合材質を用いて製造するものもある。
それは、変形しにくいという長所を有するが、この種のキュースティックは、木製のビリヤードキュースティックに比べ、硬すぎて球制御が難しい。
【考案の概要】
【考案が解決しようとする課題】
【０００５】
前記先行技術は、安定性が劣り、カーボンファイバー複合材質を用いて製造するものは、木製のビリヤードキュースティックに比べ、硬すぎて球制御が難しい欠点がある。
【課題を解決するための手段】
【０００６】
本考案は、組合せ式を採用し、非単一構成部材で、好ましい球制御安定性を有する球制御の安定性を向上可能なビリヤードキュースティックバット及びビリヤードキュースティックに関する。
【０００７】
本考案による球制御の安定性を向上可能なビリヤードキュースティックバットは、ビリヤードキュースティックのシャフトに組み合わせられるビリヤードキュースティックバットで、芯棒、カバー体を有する。
該カバー体は、該芯棒の外周縁をカバーする。
該カバー体は、芯棒の軸線を巡って設置される細長い形状の複数の組み合わせ部材を有する。
【０００８】
一実施形態中において、さらに延伸棒を有する。
延伸棒は、シャフトとビリヤードキュースティックバットの間に連接する。
【０００９】
一実施形態中において、芯棒は、単一の実心部材或いは多数の構成部材を組み合わせて形成される実心部材である。
【００１０】
一実施形態中において、芯棒の断面は円形で、カバー体の内周縁の形状と、芯棒の断面とは対応する。
【００１１】
一実施形態中において、芯棒の断面は非円形で、カバー体の内周縁の形状と、芯棒の断面とは対応する。
【００１２】
一実施形態中において、芯棒には、中空部材をさらに嵌めて設置し、中空部材は、芯棒の外周縁をカバーし、芯棒とカバー体の間に位置する。
【００１３】
一実施形態中において、中空部材は多層体で、木材、カーボンファイバー或いはベークライトの内の一種或いは任意の二種以上の組合せである。
【００１４】
一実施形態中において、芯棒の外周縁と中空部材の内周縁の円形或いは非円形は対応し、中空部材の外周縁は円形或いは非円形で、カバー体の内周縁の形状と中空部材の外周縁とは対応する。
【００１５】
一実施形態中において、組み合わせ部材の数量は偶数である。
【００１６】
一実施形態中において、本考案によるビリヤードキュースティックは、シャフトを有する。
シャフトと前述のビリヤードキュースティックバットとは組み合わせ、シャフトは、第一結合部を有し、ビリヤードキュースティックバットは、第二結合部を有する。
第一結合部と第二結合部は、凹凸対応連接である。
【００１７】
一実施形態中において、第一結合部と第二結合部は、螺合対応である。
【００１８】
本考案のビリヤードキュースティックバットは、組合せ式を採用し、非単一構成部材である。このため、全体が気候の影響を受て同時に変質しにくく、しかも構造が硬すぎることもなく、ビリヤード中の球制御の安定性に有利で、良好な打球効果を達成できる。
【図面の簡単な説明】
【００１９】
【図１】本考案によるビリヤードキュースティックの分解模式図である。
【図２Ａ】本考案の第一実施形態の分解模式図である。
【図２Ｂ】本考案の第一実施形態の断面模式図である。
【図３Ａ】本考案の第二実施形態の分解模式図である。
【図３Ｂ】本考案の第二実施形態の断面模式図である。
【図４Ａ】本考案の第三実施形態の分解模式図である。
【図４Ｂ】本考案の第三実施形態の断面模式図である。
【図５Ａ】本考案の第四実施形態の分解模式図である。
【図５Ｂ】本考案の第四実施形態の断面模式図である。
【図６】本考案の第五実施形態の断面模式図である。
【図７】本考案の第六実施形態の断面模式図である。
【図８】本考案の第七実施形態の断面模式図である。
【図９】本考案の第八実施形態の断面模式図である。
【図１０Ａ】本考案の第九実施形態の分解模式図である。
【図１０Ｂ】本考案の第九実施形態の断面模式図である。
【図１１Ａ】本考案の第十実施形態の分解模式図である。
【図１１Ｂ】本考案の第十実施形態の断面模式図である。
【図１２Ａ】本考案の第十一実施形態の分解模式図である。
【図１２Ｂ】本考案の第十一実施形態の断面模式図である。
【図１３Ａ】本考案の第十二実施形態の分解模式図である。
【図１３Ｂ】本考案の第十二実施形態の断面模式図である。
【図１４】本考案の第十三実施形態の断面模式図である。
【図１５】本考案の第十四実施形態の断面模式図である。
【図１６】本考案の第十五実施形態の断面模式図である。
【図１７】本考案の第十六実施形態の断面模式図である。
【図１８】本考案の第十七実施形態の断面模式図である。
【図１９】本考案の第十八実施形態の断面模式図である。
【図２０】本考案の第十九実施形態の断面模式図である。
【考案を実施するための形態】
【００２０】
（一実施形態）
図１、図２Ａ及び図２Ｂに示す通り、本考案による球制御の安定性を向上可能なビリヤードキュースティックバット１００の第一実施形態は、ビリヤードキュースティック１のシャフト２に組み合わせられる。
ビリヤードキュースティックバット１００は、芯棒１０及びカバー体２０を有する。
シャフト２は、第一結合部２ａを有する。
ビリヤードキュースティックバット１００は、第二結合部２ｂを有する。
第一結合部２ａと第二結合部２ｂは、螺合対応などの凹凸対応連接で、ビリヤードキュースティック１を組み合わせる。
【００２１】
芯棒１０は、単一の実心部材で、木材により製造され、或いは非木材、複合材の内の任意の一種を選択する。
非木材の材質は、カーボンファイバー、ガラスファイバー、アルミパイプ或いはスチールパイプ等の材料である。
【００２２】
カバー体２０は、木材或いは非木材により製造し、非木材の材質は、カーボンファイバー、ガラスファイバー、アルミパイプ或いはスチールパイプ等の材料である。
カバー体２０は、芯棒１０の外周縁をカバーする。
カバー体２０は、芯棒１０の軸線を巡って設置される細長い形状の複数の組み合わせ部材２１を有する。
これにより、カバー体２０は非単一式となり、芯棒１０をカバーする。
本実施形態中において、芯棒１０の断面は円形で、カバー体２０の内周縁の形状もまた円形で、芯棒１０の断面と対応する。
組み合わせ部材２１は、２個などの偶数で、それぞれ半円状である。
これにより、本考案のビリヤードキュースティックバット１００は、組合せ式を採用し、非単一構成部材で、全体が気候の影響を受け、全部が同時に変質しにくく、しかも構造が硬すぎることもなく、ビリヤード中の球制御の安定性に有利で、良好な打球効果を達成できる。
本考案の図３Ａ及び図３Ｂに示す第二実施形態中では、カバー体２０の組み合わせ部材２１の数量は４個で、しかもそれぞれ四分の一の円である。
【００２３】
図４Ａ及び図４Ｂに示す通り、本考案による球制御の安定性を向上可能なビリヤードキュースティックバット１００の第三実施形態中では、芯棒１０は、多数の構成部材１１を組み合わせて形成される実心部材で、しかも実心部材は、概ね円形を呈する。
カバー体２０の組み合わせ部材２１の数量は２個で、しかもそれぞれ二分の一の円である。
本考案の図５Ａ及び図５Ｂに示す第四実施形態では、カバー体２０の組み合わせ部材２１の数量は４個で、しかもそれぞれ四分の一の円である。
【００２４】
図６に示す通り、本考案による球制御の安定性を向上可能なビリヤードキュースティックバット１００の第五実施形態中では、芯棒１０の断面は正六辺形などの単一非円形実心部材で、カバー体２０の内周縁の形状もまた非円形で、芯棒１０の断面と対応する。
組み合わせ部材２１は、２個などの偶数で、しかも各内周縁は非円形である。
本考案の図７に示す第六実施形態中では、カバー体２０の組み合わせ部材２１の数量は４個である。
【００２５】
図８に示す通り、本考案による球制御の安定性を向上可能なビリヤードキュースティックバット１００の第七実施形態中では、芯棒１０は、多数の構成部材１１を組み合わせて形成される実心部材で、しかも実心部材は、正六辺形などの非円形を呈する。
カバー体２０の組み合わせ部材２１の数量は２個である。
本考案の図９に示す第八実施形態中では、カバー体２０の組み合わせ部材２１の数量は４個である。
【００２６】
図１０Ａ及び図１０Ｂに示す通り、本考案による球制御の安定性を向上可能なビリヤードキュースティックバット１００の第九実施形態中では、芯棒１０は単一円形実心部材で、しかもカバー体２０の組み合わせ部材２１の数量は２個で、しかもそれぞれ二分の一の円である。
この他、芯棒１０には、中空部材１２をさらに嵌めて設置する。  
中空部材１２は木材により製造し、或いは非木材、複合材の内の任意の一種を選択する。
中空部材１２は、芯棒１０の外周縁をカバーし、しかも芯棒１０とカバー体２０の間に位置する。
芯棒１０の外周縁と中空部材１２の内周縁の円形は対応し、中空部材１２の外周縁は円形で、カバー体２０の内周縁の形状と中空部材１２の外周縁とは対応する。
本考案の図１１Ａ及び図１１Ｂに示す第十実施形態中では、カバー体２０の組み合わせ部材２１の数量は４個で、しかもそれぞれ四分の一の円である。
【００２７】
図１２Ａ及び図１２Ｂに示す通り、本考案による球制御の安定性を向上可能なビリヤードキュースティックバット１００の第十一実施形態中では、芯棒１０は、多数の構成部材１１を組み合わせて形成される円形実心部材で、しかも芯棒１０の外周縁には、中空部材１２を嵌めて設置する。
カバー体２０の組み合わせ部材２１の数量は２個で、しかもそれぞれ二分の一の円である。
本考案の図１３Ａ及び図１３Ｂに示す第十二実施形態では、カバー体２０の組み合わせ部材２１の数量は４個である。
【００２８】
図１４に示す通り、本考案による球制御の安定性を向上可能なビリヤードキュースティックバット１００の第十三実施形態中では、芯棒１０の断面は単一円形実心部材で、芯棒１０の外周縁には、中空部材１２を嵌めて設置する。
中空部材１２外周縁は正六辺形などの非円形で、カバー体２０の内周縁の形状もまた非円形で、中空部材１２の断面と対応する。
組み合わせ部材２１は、２個などの偶数で、しかも各内周縁は非円形である。
本考案の図１５に示す第十四実施形態中では、カバー体２０の組み合わせ部材２１の数量は４個である。
【００２９】
図１６に示す通り、本考案による球制御の安定性を向上可能なビリヤードキュースティックバット１００の第十五実施形態中では、芯棒１０は、多数の構成部材１１を組み合わせて形成される実心部材で、しかも実心部材は、概ね円形を呈し、その外周縁には、中空部材１２を嵌めて設置する。
中空部材１２外周縁は非円形で、カバー体２０の内周縁の形状もまた非円形で、中空部材１２の断面と対応する。
組み合わせ部材２１は２個などの偶数個である。
本考案の図１７に示す第十六実施形態中では、カバー体２０の組み合わせ部材２１の数量は４個である。
【００３０】
図１８に示す本考案による球制御の安定性を向上可能なビリヤードキュースティックバット１００の第十七実施形態中では、ビリヤードキュースティックバット１００はさらに、延伸棒３を有する。
延伸棒３は、シャフト２とビリヤードキュースティックバット１００の間に連接し、第二結合部２ｂは、延伸棒３端部に設置され、これにより、ビリヤードキュースティックバット１００は、延伸棒３を通して、シャフト２に組み合わされる。
【００３１】
図１９に示す通り、本考案の第十八実施形態では、カバー体２０と芯棒１０の中空部材１２は多層体である。本実施形態中では、中空部材１２は三層であるが、これに限定されない。
中空部材１２は、異なる色の木材、カーボンファイバー或いはベークライトの内の一種或いは任意の二種以上の組合せから選択することができる。
また、中空部材１２内縁と芯棒１０の外周縁は、非円形対応で、カバー体２０の内周縁と中空部材１２の外周縁もまた非円形対応である。
こうして、多材料の組合せにより、キュースティックの直度と打球の安定性を向上させることができる。
【００３２】
図２０に示す通り、本考案の第十九実施形態では、中空部材１２は、カバー体２０及び芯棒１０とそれぞれ円形に対応する。
【００３３】
本考案のビリヤードキュースティックバット１００は、組合せ式を採用し、非単一構成部材であるため、全体が気候の影響を受け、全部が同時に変質しにくく、しかも構造が硬すぎることもなく、ビリヤード中の球制御の安定性に有利で、良好な打球効果を達成できる。
【００３４】
前述した本考案の実施形態は本考案を限定するものではなく、よって、本考案により保護される範囲は後述される実用新案登録請求の範囲を基準とする。
【符号の説明】
【００３５】
１      ビリヤードキュースティック
２      シャフト
２ａ    第一結合部
２ｂ    第二結合部
１００  ビリヤードキュースティックバット
１０    芯棒
１１    構成部材
１２    中空部材
２０    カバー体
２１    組み合わせ部材
３      延伸棒
【図１】
0003216485.tif 000003
【図２Ａ】
0003216485.tif 000004
【図２Ｂ】
0003216485.tif 000005
【図３Ａ】
0003216485.tif 000006
【図３Ｂ】
0003216485.tif 000007
【図４Ａ】
0003216485.tif 000008
【図４Ｂ】
0003216485.tif 000009
【図５Ａ】
0003216485.tif 000010
【図５Ｂ】
0003216485.tif 000011
【図６】
0003216485.tif 000012
【図７】
0003216485.tif 000013
【図８】
0003216485.tif 000014
【図９】
0003216485.tif 000015
【図１０Ａ】
0003216485.tif 000016
【図１０Ｂ】
0003216485.tif 000017
【図１１Ａ】
0003216485.tif 000018
【図１１Ｂ】
0003216485.tif 000019
【図１２Ａ】
0003216485.tif 000020
【図１２Ｂ】
0003216485.tif 000021
【図１３Ａ】
0003216485.tif 000022
【図１３Ｂ】
0003216485.tif 000023
【図１４】
0003216485.tif 000024
【図１５】
0003216485.tif 000025
【図１６】
0003216485.tif 000026
【図１７】
0003216485.tif 000027
【図１８】
0003216485.tif 000028
【図１９】
0003216485.tif 000029
【図２０】
0003216485.tif 000030